(57)【要約】【課題】収納するカメラの回転ダイアルの直径、高さ、周面の係合溝のピッチなどが異なると、別の防水ハウジングを使用しなければならず、汎用性に劣る。【解決手段】上段歯４６Ｕ、下段歯４６Ｌの２種類の係合歯が係合部材４６の内面に成形され、上段歯、下段歯は異なるカメラのモードスイッチ周面の係合溝とそれぞれ係合可能に形成されている。係合部材４６は、防水ハウジングのハウジング本体を貫いて配置された内筒４４の下端に固定され、内筒の上端に固定されてハウジング本体上面に位置するつまみ４２を回転させれば、係合部材も回転され、係合部材に係合するカメラのモードスイッチが回転して所望の撮影モードが設定される。上段歯４６Ｕ、下段歯４６Ｌに係合可能な２種類のモードスイッチがつまみ４２によって外部から回転操作でき、１つの防水ハウジングが異なる２つのカメラを交換可能に収納できる。【選択図】図５
2006243074.tif 000002
【特許請求の範囲】
【請求項１】
複数の互いに異なるカメラを交換可能に収納可能なハウジング本体と、
上記ハウジング本体に回動可能に設けられ、上記複数のカメラのそれぞれに設けられた回転ダイアルに係合可能で、それぞれの回転ダイアルを回転するためのダイアル係合部材と、
を具備する防水ハウジング。
【請求項２】
複数の互いに異なるカメラを交換可能に収納可能なハウジング本体と、
上記ハウジング本体の外部に回動可能に設けられた操作部材と、
上記操作部材に繋がり、上記ハウジング本体の内部に設けられて、上記複数のカメラのそれぞれに設けられた回転ダイアルに係合可能で、それぞれの回転ダイアルを回転するためのダイアル係合部材と、
を具備する防水ハウジング。
【請求項３】
上記係合部材は、上記カメラに設けられた複数の回転ダイアルの外観に設けられた係合溝にそれぞれ係合することを特徴とする請求項１または２記載の防水ハウジング。
【請求項４】
複数の互いに異なるカメラを交換可能に収納可能なハウジング本体と、
上記ハウジング本体に回動可能に設けられ、上記複数のカメラのそれぞれに設けられた回転ダイアルであるパワースイッチにそれぞれ係合可能で、パワースイッチを回転するためのパワースイッチ操作部材と、
上記ハウジング本体に回動可能に設けられ、上記複数のカメラのそれぞれに設けられた回転ダイアルであるモードスイッチにそれぞれ係合可能で、モードスイッチを回転するためのモードスイッチ係合部材と、
を具備する防水ハウジング。
【請求項５】
複数の互いに異なるカメラを交換可能に収納可能なハウジング本体と、
上記ハウジング本体に回動可能に設けられ、上記複数のカメラのそれぞれに設けられた回転ダイアルであるパワースイッチにそれぞれ係合可能で、パワースイッチを回転するためのパワースイッチ操作部材と、
上記ハウジング本体に回動可能に設けられ、上記複数のカメラのそれぞれにパワースイッチと同軸に重複して設けられた回転ダイアルであるモードスイッチにそれぞれ係合可能でモードスイッチを回転するためのモードスイッチ係合部材と、
を具備し、
上記パワースイッチ操作部材、上記モードスイッチ係合部材は、いずれか一方を内筒構造体、他方を外筒構造体として組合わせた二重筒構造体として構成されている防水ハウジング。
【発明の詳細な説明】
【技術分野】
【０００１】
本発明は、銀塩カメラ、デジタルカメラ、ビデオカメラなどのカメラを収納してカメラの外部からカメラを操作する防水ハウジング（防水プロテクタ、防水ケース）、特に、モードダイアルのような回転ダイアルを外部から操作可能な防水ハウジングに関する。
【背景技術】
【０００２】
カメラを内部に装填、収納して水中撮影を行う防水ハウジング（防水プロテクタ、防水ケース）が知られており、カメラの各種のスイッチ（ダイアル、ボタンも含む）をカメラの外部から操作可能なスイッチ操作部材が防水ハウジングに設けられている。
【０００３】
カメラのスイッチの多くは押しボタンであるため、押力を除くと圧縮コイルばねのばね力などの付勢力によって初期位置（突出位置）に戻る自動復帰タイプの押しボタンから、防水ハウジングのスイッチ操作部材を構成すれば、カメラのスイッチを外部から（押し込み）操作できる。
しかし、プログラムモード、風景モード、水中撮影モードなどの撮影モードを設定するカメラのモードスイッチは円板状の回転ダイアルとなっており、回転ダイアルに対しては、回転力をカメラの外部から与えて、回転操作する必要がある。
【０００４】
たとえば、特開２００３−１０７５７０号公報には、防水ハウジングの自動復帰タイプの押しボタンの先端（下端）に伝動輪を固定し、２つの突部を１８０°離反して伝動輪に成形し、突部の内側にゴム製の係合部材をそれぞれ設けた構成が開示されている。一般に、回転ダイアル（モードスイッチ）の周面には、ローレットなどの軸線方向の溝が滑り止めのために形成されており、回転ダイアル周面の溝に係合可能な軸線方向の凹凸が、押しボタンの係合部材の内側にそれぞれ形成されている。
この構成において、防水ハウジングの押しボタンを押し込むと、２つの係合部材が回転ダイアルを挟持するように下降し、回転ダイアルの溝に押しボタンの係合部材の凹凸が係合する。そのため、押し込んだまま防水ハウジングの押しボタンを回転させれば、カメラの回転ダイアルを回転でき、回転ダイアルをカメラの外部から操作できる。
【０００５】
この構成では、係合部材がゴム製であるため、カメラの回転ダイアルを損傷することなく係合部材が回転ダイアルのローレットに強固に係合される。そのため、押しボタンの回転力が回転ダイアルに伝達され、回転ダイアルを回転操作できる。
また、２つのゴム製の係合部材でカメラの回転ダイアル（モードスイッチ）を両側から挟みこんだ状態で、押しボタンの先端の伝動輪をカメラの回転ダイアルに被せており、押しボタンに横方向の変形が生じない。そのため、防水ハウジングに形成した押しボタンの挿通孔と押しボタンとの間に水漏れの生じるおそれがない。
【特許文献１】特許２００３−１０７５７０号公報
【発明の開示】
【発明が解決しようとする課題】
【０００６】
円板状の回転ダイアルからなるモードスイッチの直径、高さ、周面などの形状や溝のピッチなどは一定でなく、多くの場合、カメラの機種ごとに相違する。そして、防水ハウジングに収納するカメラが異なると、上記特開２００３−１０７５７０号公報記載の構成では、防水ハウジングの押しボタンの係合部材がカメラのモードスイッチに係合不能となり、モードスイッチをもはや回転操作できない。そのため、カメラごとに専用の防水ハウジングを使用しなければならず、防水ハウジングの汎用性が劣る。
【課題を解決するための手段】
【０００７】
本発明の防水ハウジングは、複数の互いに異なるカメラを交換可能に収納可能なハウジング本体と、上記ハウジング本体に回動可能に設けられ、上記複数のカメラのそれぞれに設けられた回転ダイアルに係合可能で、それぞれの回転ダイアルを回転するためのダイアル係合部と、を具備している。
【０００８】
また、本発明の防水ハウジングは、複数の互いに異なるカメラを交換可能に収納可能なハウジング本体と、上記ハウジング本体の外部に回動可能に設けられた操作部材と、上記操作部材に繋がり、上記ハウジング本体の内部に設けられて、上記複数のカメラのそれぞれに設けられた回転ダイアルに係合可能で、それぞれの回転ダイアルを回転するためのダイアル係合部材と、を具備している。
【０００９】
さらに、本発明の防水ハウジングは、複数の互いに異なるカメラを交換可能に収納可能なハウジング本体と、上記ハウジング本体に回動可能に設けられ、上記複数のカメラのそれぞれに設けられた回転ダイアルであるパワースイッチにそれぞれ係合可能で、パワースイッチを回転するためのパワースイッチ操作部材と、上記ハウジング本体に回動可能に設けられ、上記複数のカメラのそれぞれに設けられた回転ダイアルであるモードスイッチにそれぞれ係合可能でモードスイッチを回転するためのモードスイッチ係合部材と、を具備している。
【００１０】
また、本発明の防水ハウジングは、複数の互いに異なるカメラを交換可能に収納可能なハウジング本体と、上記ハウジング本体に回動可能に設けられ、上記複数のカメラのそれぞれに設けられた回転ダイアルであるパワースイッチにそれぞれ係合可能で、パワースイッチを回転するためのパワースイッチ操作部材と、上記ハウジング本体に回動可能に設けられ、上記複数のカメラのそれぞれにパワースイッチと同軸に重複して設けられた回転ダイアルであるモードスイッチにそれぞれ係合可能で、モードスイッチを回転するためのモードスイッチ係合部材と、を具備し、上記パワースイッチ操作部材、上記モードスイッチ係合部材は、いずれか一方を内筒構造体、他方を外筒構造体として組合わせた二重筒構造体として構成されている。
【発明の効果】
【００１１】
本発明によれば、異なる複数のカメラの回転ダイアルにダイアル係合部が係合されて、回転ダイアルを外部から回転操作でき、異なる複数のカメラに対して共通の防水ハウジングを使用できる。
【発明を実施するための最良の形態】
【００１２】
本発明では、防水ハウジングは異なる複数のカメラの回転ダイアルに係合可能で、それぞれの回転ダイアルを回転可能なダイアル係合部を具備している。
【実施例】
【００１３】
以下、図面を参照して本発明の実施例について説明する。図１は本発明の一実施例に係る防水ハウジング１０の概略の背面斜視図であり、防水ハウジングは、たとえばデジタルカメラなどのカメラを収納するハウジング本体１２を具備している。ハウジング本体１２の基本構造は従来と同様であり、水圧に耐える厚さの合成樹脂からそれぞれ成形された本体部１２−１と裏蓋部１２−２とをヒンジ結合して構成され、カメラのスイッチをカメラの外部から操作するための各種のスイッチ操作部材２０が本体部、裏蓋部に適宜設けられている。たとえば、内部のカメラが見えるように、ハウジング本体１２の本体部１２−１、裏蓋部１２−２は光の透過する合成樹脂からいずれも成形される。
【００１４】
防水ハウジングのスイッチ操作部材２０について、簡単に説明する。図２はハウジング本体１２の裏蓋部１２−２の一部を示し、（Ａ）は部分側面図、（Ｂ）は部分平面図である。図２において、参照符号２１はカメラの電源をＯＮ、ＯＦＦするパワースイッチを操作するためのパワースイッチ操作部材、２２はプログラムモード、風景モード、水中撮影モードなどの撮影モードを設定するカメラのモードスイッチを操作するモードスイッチ操作部材であり、これらは、本発明の特徴部分であり、後で詳細に説明する。図面の複雑化を避けるために、パワースイッチ操作部材２１、モードスイッチ操作部材２２は図１では省略し、図２では隠れ線で示している。ハウジング本体１２の裏蓋部１２−２の上面には、パワースイッチ操作部材２１、モードスイッチ操作部材２２を収納する筒状突起１３が成形されている
【００１５】
図１に戻って、参照符号２３ａはレバー形状のレリーズ操作部材であり、レリーズ操作部材２３ａを押すと、直下のレリーズボタン２３ｂが下降し、シャッターがレリーズされて撮影が行われる。参照符号２４は、ズームワイド、ズームテレを切換えるためのズーム切換え操作部材、２５は再生モードを設定する再生モード設定のための操作部材、２６は補正露出、画質モード、フラッシュ、セルフタイマー、接写などを設定する十字ボタンのための操作部材、２７は十字ボタンで設定された補正露出、画質モードなどを確定する操作部材である。なお、参照符号２８はカメラ背面の液晶ディスプレイを観察するための凸状ルーペ、２９は同じくカメラ背面の光学ファインダーを観察する凸状ルーペである。
【００１６】
一眼レフデジタルカメラにおいて、パワースイッチ、モードスイッチをいずれも円板状の回転ダイアルとして、大径のパワースイッチを下に、小径のモードスイッチを上に同軸上に重ねて配置する構成が知られている。図３は２つの異なるカメラ１１０Ａ、１１０Ｂにおけるパワースイッチ１２１、モードスイッチ１２２の同軸重複配置例を示し、（Ａ−１）（Ａ−２）はそれぞれのカメラ１１０Ａ、１１０Ｂのパワースイッチ、モードスイッチを含む部分側面図、（Ｂ−１）（Ｂ−２）はそれぞれのカメラ１１０Ａ、１１０Ｂにおけるパワースイッチ、モードスイッチの平面図である。
【００１７】
図３に示すように、カメラ１１０Ａのモードスイッチ１２２Ａはカメラ１１０Ｂのモードスイッチ１２２Ｂよりも小径で厚く成形されている。つまり、Ｄａ（モードスイッチ１２２Ａの直径）＜Ｄｂ（モードスイッチ１２２Ｂの直径）、Ｈａ（モードスイッチ１２２Ａの厚さ）＞Ｈｂ（モードスイッチ１２２Ｂの厚さ）となっている。また、それぞれのモードスイッチ周面には、たとえば、縦溝形状のローレットのような滑り止めの係合溝（係合部）１３２Ａ、１３２Ｂがそれぞれ形成され、カメラ１１０Ａではピッチ６°で６０個、カメラＢではピッチ８°で４５個それぞれ形成され、カメラ１１０Ｂの方が粗く形成されている。
【００１８】
他方、パワースイッチ１２１Ａ、１２１Ｂはほぼ同一の厚さに成形され、パワースイッチには、スイッチ片（径方向に形成された凸部）がいずれも一体成形されて側方に突出し、カメラ１１０Ｂのスイッチ片１２１Ｂａの方がカメラ１１０Ａのスイッチ片１２１Ａａより僅かに大きく径方向に突出している。すなわち、スイッチ片の周面にも、たとえば、縦溝形状の係合部１３１Ａ、１３１Ｂがそれぞれ成形され、パワースイッチ１２１Ａの係合部１３１Ａが均一径に形成されているのに対して、パワースイッチ１２１Ｂの係合部１３１Ｂはその中央が径方向に突出した山形形状に形成され、係合部１３１Ｂの中央突出部は係合部１３１Ａよりも僅かに大きく径方向に突出している。つまり、係合部１３１Ｂの中央突出部の最外径の半径Ｒｂは係合部１３１Ａの最外径の半径Ｒａよりも大きい（Ｒｂ＞Ｒａ）。
なお、パワースイッチ１２１、モードスイッチ１２２の高さの基準となるカメラ１１０Ａ、１１０Ｂの上面はほぼ同一高さに位置している。
【００１９】
本発明では、防水ハウジング１０は、上記のような複数(実施例では２つ)の異なるカメラ１１０Ａ、１１０Ｂの回転ダイアル（パワースイッチ１２１、モードスイッチ１２２）をカメラの外部から回転操作可能で、異なる複数のカメラに対して共通に使用できるように構成されている。そして、実施例では、モードスイッチ１２２だけでなく、パワースイッチ１２１も回転操作可能となっている。
【００２０】
実施例では、防水ハウジング１０のパワースイッチ操作部材２１、モードスイッチ操作部材２２は、二重筒構造体４０に組み込まれており、図４は二重筒構造体の分解斜視図、図５は断面で示す二重筒構造体の分解図、図６は二重筒構造体の正面図、図７（Ａ)はパワースイッチ操作部材の正面図、図７（Ｂ)はモードスイッチ操作部材の正面図をそれぞれ示す。なお、図７（Ａ)（Ｂ）に示すように、二重筒構造体４０の外筒構造体がパワースイッチ操作部材２１となり、内筒構造体がモードスイッチ操作部材２２となる。
【００２１】
図４、図５に示すように、二重筒構造体４０は、円筒形状のつまみ４２と、レバー５３と、中実の内筒４４と、中空の外筒５５と、略Ｌ字形状の係合部材５７と、偏平な円筒形状の係合部材４６と、小径のオーリング４８ａと、２つの大径のオーリング５９ａと、２つのねじ４８ｂとを備えている。
その組み合わせを概略的に述べると、図６、図７（Ｂ）に示すように、２つのねじ４８ｂは上下から中実内筒４４に螺着されて、中実内筒の上端につまみ４２を、下端に係合部材４６をそれぞれ固着し、小径リング４８ａを中実内筒の小径部に嵌着して内筒構造体としてのモードスイッチ操作部材２２が構成されている。
また、図６、図７（Ａ）に示すように、切欠き面（詳細は後で述べる）を利用して中空外筒５５の上端にレバー５３が、下端に係合部材５７がそれぞれ装着され、２つの大径オーリング５９ａが中空外筒の小径部にそれぞれ嵌合されて外筒構造体としてのパワースイッチ操作部材２１が構成されている。
【００２２】
それぞれの構成部材について述べる。まず、内筒構造体を構成する部材について述べると、図８はつまみ４２を示し、（Ａ）は正面図、（Ｂ）は平面図、（Ｃ）は底面図である。つまみ４２は円筒形状とされ、その周面に縦溝のローレットのような滑り止めの係合部（軸と平行な係合溝）が形成されている。そして、図５、図８（Ｂ）に示すように、つまみ４２の下から２つ目の孔４２ａはその内周面上の両側面を平坦面とした長溝状の孔、すなわち小判状の孔となっている。
【００２３】
図９は内筒４４を示し、（Ａ）は正面図、（Ｂ）は平面図である。内筒４４は中実に形成され、図５に示すように、その上端、下端にねじ４８ｂの螺着されるねじ孔４４ｂが形成され、中間部には、オーリング４８ａの嵌着される小径部４４ａとなっている。ねじ孔４４ｂへのねじ４８ｂの螺着によって、内筒４４の上端にはつまみ４２が、下端には係合部材４６がそれぞれ固着される。また、図９（Ａ）（Ｂ）に示すように、内筒４４の上端部はその外周面上の両側面を平行に切り欠いて形成された２段の切欠き面４４ｃ１、４４ｃ２とされ、上段の切欠き面４４ｃ１はつまみ４２の長溝状孔４２ａと係合可能となっている。さらに、内筒４４の下端部には、片面のみを切欠いた切欠き面４４ｄが切欠き面４４ｃ１、４４ｃ２と円周方向で９０°ずれた位置に形成されており、この切欠き面は内筒の下端にねじ止めされる係合部材４６の回り止めとなる。
【００２４】
図１０は内筒４４の下端にねじ止めされる係合部材４６を示し、（Ａ）（Ａ’）は係合部材４６の異なる断面での断面図、（Ｂ）は平面図、（Ｃ）は底面図であり、（Ｃ）の右半部は断面を示す。また、（Ｄ）は（Ｃ）の一部Ｄの拡大図である。さらに、図１１として、図１０（Ｃ）の一部Ｄの拡大斜視図を示す。
係合部材４６は、上下二段の係合歯４７Ｕ、４６Ｌを有して構成されている点に大きな特徴があり、図１０（Ａ）では上下二段の係合歯が断面で示され、図１０（Ａ’）では上下二段の係合歯は断面となっていない。
【００２５】
係合部材４６について詳細に述べると、係合部材は上面にフランジ４６ａを持つ偏平な円筒形状に成形されている。そして、図１０（Ｂ）に示すように、その内周内の一部を平坦とした孔４６ｄがフランジ４６ａ内に形成され、この孔４６ｄに内筒下端の切欠き面４４ｄを係合してねじ４８ｂで係合部材を内筒下端にねじ止めすることにより、係合部材は内筒４４と一体回転可能に装着される。
【００２６】
図１０（Ａ）（Ａ’）（Ｄ）、図１１に示すように、フランジ４６ａの形成された係合部材４６の端面とは反対側の端面の大きな孔の奥に形成された上段の係合歯４６Ｕは、それより浅い位置に形成された下段の係合歯４６Ｌよりも内側（内径側）に突出して形成されている。つまり、上段の係合歯４６Ｕの内径に向かう係合歯先端のなす包径円は、下段の係合歯４６Ｌの内径に向かう係合歯先端のなす包径円よりも小径となっている。また、上段の係合歯４６Ｕの上記包径円の直径は、カメラ１１０Ａのモードスイッチ周面の係合溝１３２Ａの溝底のなす包絡円に対して僅かに大きく形成され、上段の係合歯は、係合溝１３２Ａと同様に、ピッチ６°で６０個形成されている。他方、下段の係合歯４６Ｌの上記包径円の直径は、カメラ１１０Ｂのモードスイッチ周面の係合溝１３２Ｂの溝底のなす包絡円に対して僅かに大きく形成され、下段の係合歯は、係合溝１３２Ｂと同様にピッチ８°で４５個形成されている。つまり、上段の係合歯４６Ｕはカメラ１１０Ａのモードスイッチ周面の係合溝１３２Ａと係合可能に、下段の係合歯４６Ｌはカメラ１１０Ｂのモードスイッチ周面の係合溝１３２Ｂと係合可能に形成されている。このように、係合部材４６はモードスイッチ１２２Ａ、１２２Ｂにそれぞれ嵌合可能（係合可能）となっており、嵌合の後は一体的に回転可能となっている。
【００２７】
次に、外筒構造体を構成する部材について述べると、図１２はレバー５３を示し、（Ａ）は正面図、（Ｂ）は平面図、（Ｃ）は底面図である。図１２に加えて、図４、図５に示すように、レバー５３はＴ字形状の把持部５３ａと、貫通孔５３ｃ付のフランジ５３ｂとを有し、貫通孔の下半部はその内周面上の両側面を平坦面とした長溝状、つまり小判状の孔となっている。
【００２８】
図１３は外筒５５を示し、（Ａ）は正面図、（Ｂ）は平面図、（Ｃ）は底面図である。図１３に加えて、図４、図５に示すように、外筒５５は内筒４４の収納可能な中空形状とされ、その外周の軸方向中間部に２つの小径部５５ａと、下端部に大径の鍔形状のストッパ５５ｂとを有し、上端部とストッパより下の下端部にはその外周面上の両側面を平行に切り欠いて形成された切欠き面５５ｃ１、５５ｃ２がそれぞれ形成されている。ここで、下端部の切欠き面５５ｃ２は、上端部の切欠き面５５ｃ１と円周方向で９０°ずれた位置に形成されている。そして、上端部の切欠き面５５ｃ１にレバーの貫通孔５３ｃの長溝状の孔が嵌合されることによって、レバー５３が外筒５５の上端部に一体回転可能に装着される。なお、下端部の切欠き面５５ｃ２には、後述するように、係合部材５７が一体回転可能に装着される。小径部５５ａにはオーリング５９ａが嵌着されて、防水ハウジングのハウジング本体１２の裏蓋部１２−２に形成された挿通孔（図示しない）との間のシールを行う。
【００２９】
図１４は係合部材５７を示し、（Ａ）は正面図、（Ｂ）は平面図、（Ｃ）は底面図、（Ｄ）は右側面図である。図１４に加えて、図４、図５に示すように、係合部材５７は径方向に伸びた腕部を有し、この腕部の先端に下方折曲部５７ａを持つ略Ｌ字形状に成形され、貫通孔５７ｂの上半部はその内周面上の両側面を平坦面とした長溝状（小判状）の孔となっている。そして、貫通孔５７ｂの長溝状の孔が外筒下端部の切欠き面５５ｃ２に嵌合されることによって、係合部材５７が外筒５５の下端に一体回転可能に装着される。
【００３０】
また、下方折曲部５７ａの内面下半部には、たとえば貫通孔５７ｂの中心軸と平行な縦溝形状の係合凹部（係合溝）５７ｃが形成されている。この係合凹部５７ｃは２種類の係合部から構成され、その中央には、カメラ１１０Ｂのパワースイッチ１２１Ｂのスイッチ片１２１Ｂａの係合部１３１Ｂ（図３（Ａ）（Ｂ）参照）に係合可能な係合凹部５７ｃｂが、周辺には、カメラ１１０Ａのパワースイッチ１２１Ａのスイッチ片１２１Ａａの係合部１３１Ａ（図３（Ａ）（Ｂ）参照）に係合可能な係合凹部５７ｃａがそれぞれ形成されている。つまり、中央の係合凹部５７ｃｂの径方向底部から貫通孔５７ｂの中心までの距離Ｒｂ’はスイッチ片１２１Ｂａの係合部１３１Ｂの先端からパワースイッチ１２１Ｂの回転中心までの距離Ｒｂより僅かに大きく、周辺の係合凹部５７ｃａの径方向底部から貫通孔５７ｂの中心までの距離Ｒａ’はパワースイッチ片１２１Ａａの係合部１３１Ａの外径からパワースイッチ１２１Ａの回転中心までの距離Ｒａより僅かに大きくなっている。
【００３１】
上記のように、内筒上下端部の切欠き面４４ｃ１、４４ｄを利用して、内筒４４の上端につまみ４２が、下端に係合部材４６が、内筒と一体回転可能にそれぞれ装着されている。また、外筒上下端部の切欠き面５５ｃ１、５５ｃ２を利用して、外筒５５の上端にレバー５３が、下端に係合部材５７が外筒と一体回転可能にそれぞれ装着されている。
そのため、つまみ４２を操作して内筒４４を回転すれば、つまみに連動して係合部材４６が回転駆動される。また、レバー５３を操作して外筒５５を回転すれば、レバーに連動して係合部材５７が回転駆動される。
【００３２】
二重筒構造体４０の外筒構造体からなるパワースイッチ操作部材２１および内筒構造体からなるモードスイッチ操作部材２２の操作について説明する。
図１４に即して説明したように、パワースイッチ操作部材２１の係合部材５７の内面には、２種類の係合部からなる係合凹部５７ｃが形成され、係合凹部５７ｃの中央の係合凹部５７ｃｂは、カメラ１１０Ｂのパワースイッチ１２１Ｂのスイッチ片１２１Ｂａの係合部１３１Ｂと係合可能（嵌合可能）に、係合凹部５７ｃの周辺の係合凹部５７ｃａは、カメラ１１０Ａのパワースイッチ１２１Ａのスイッチ片１２１Ａａの係合部１３１Ａと係合可能（嵌合可能）になっている。
【００３３】
図１５、図１６はカメラ１１０Ａ、１１０Ｂを防水ハウジング１０に収納した場合での防水ハウジングのパワースイッチ操作部材、モードスイッチ操作部材と、カメラのパワースイッチ、モードスイッチとの関係を示す概略図である。
たとえば、カメラ１１０Ａを防水ハウジング１０に収納すれば、図１５に示すように、モードスイッチ操作部材２２の操作部材４６がモードスイッチ１２２Ａに被せられて、操作部材４６の周面の上段係合歯４６Ｕがモードスイッチ１２２Ａの係合溝１３２Ａに係合される。また、パワースイッチ操作部材２１の操作部材５７がカメラのパワースイッチ１２１Ａの係合部１３１Ａを横から抱え込むように位置して、操作部材５７の周辺係合凹部５７ｃａがパワースイッチ１２１Ａのスイッチ片１２１Ａａの係合部１３１Ａに係合される。
ここで、カメラ１１０Ａは、その上半部が下端の回りで回動されるようにして防水ハウジング１０に収納されて、パワースイッチ１２１Ａ、モードスイッチ１２２Ａが操作部材５７、４６の下に入り込む。そのため、モードスイッチ１２２Ａの係合溝１３２Ａが操作部材４６の上段係合歯４６Ｕに、パワースイッチ１２１Ａのスイッチ片１２１Ａａの係合部１３１Ａが操作部材５７の周辺係合凹部５７ｃａに、それぞれ円滑に係合される。
【００３４】
図２（Ｂ）のレバー５３の位置をパワースイッチ１２１ＡがＯＦＦの初期位置とする。図２において、レバー５３を把持して矢視方向に回転させれば、レバー５３と一体的にパワースイッチ操作部材２１の係合部材５７も回転し、係合部材５７と係合するスイッチ片１２１Ａａがパワースイッチ１２１Ａを伴って回転されてパワースイッチ１２１ＡがＯＦＦからＯＮに切換えられる。もちろん、レバー５３を反矢視方向に回転させて初期位置に戻せば、パワースイッチ１２１ＡがＯＦＦに切換えられる。このように、パワースイッチ操作部材２１のレバー５３の回転によって、パワースイッチ１２１ＡのＯＮ、ＯＦＦの切換えがカメラの外部から操作できる。
また、つまみ４２を把持して回転させれば、つまみ４２と一体的に係合部材４６も回転し、係合部材４６と係合するモードスイッチ１２２Ａは所望のモード位置に回転されて撮影モードが設定される。このように、モードスイッチ操作部材２２のつまみ４２によって、モードスイッチ１２２Ａの撮影モードがカメラの外部から設定できる。
なお、つまみ４２はモードスイッチの操作部材として、レバー５３はパワースイッチの操作部材として機能する。
【００３５】
同様に、カメラ１１０Ｂを防水ハウジング１０に収納すれば、図１６に示すように、モードスイッチ操作部材２２の操作部材４６がモードスイッチ１２２Ｂに被せられて、操作部材４６の周面の下段係合歯４６Ｌがモードスイッチ１２２Ｂの係合溝１３２Ｂに係合される。また、パワースイッチ操作部材２１の操作部材５７の中央係合凹部５７ｃｂがパワースイッチ１２１Ｂのスイッチ片１２１Ｂａの係合部１３１Ｂに係合される。そのため、レバー５３を回転させれば、レバー５３と一体的にパワースイッチ操作部材２１の係合部材５７も回転し、係合部材５７と係合するスイッチ片１２１Ｂａがパワースイッチ１２１Ｂを伴って回転されてパワースイッチ１２１ＢのＯＮ、ＯＦＦが切換えられる。また、つまみ４２を回転させれば、つまみ４２と一体的に係合部材４６も回転し、係合部材４６と係合するモードスイッチ１２２Ｂも回転されて所定の撮影モードが設定される。
このように、パワースイッチ操作部材２１のレバー５３によって、パワースイッチ１２１Ｂの切換えがカメラ１１０Ｂの外部から操作できるとともに、モードスイッチ操作部材２２のつまみ４２によって、モードスイッチ１２２Ｂの撮影モードがカメラの外部から設定できる。
【００３６】
上記のように、本発明では、防水ハウジング１０のパワースイッチ操作部材２１、モードスイッチ操作部材２２は、カメラ１１０Ａ、１１０Ｂという異なるカメラの、たとえば、パワースイッチ、モードスイッチのような回転ダイアルにそれぞれ係合可能に形成されている。そのため、異なる複数のカメラ１１０Ａ、１１０Ｂの回転ダイアル（パワースイッチ、モードスイッチ）をカメラの外部からいずれも操作でき、異なる複数のカメラに対して共通の防水ハウジング１０を使用でき、防水ハウジングの汎用性が高まる。
【００３７】
実施例では、異なるカメラとして２つのカメラ１１０Ａ、１１０Ｂを考慮している。しかし、カメラの回転ダイアル（パワースイッチ１２１、モードスイッチ１２２）に係合する防水ハウジング１０の係合部材４６、５７の係合溝として、３種類以上の異なる係合溝を設ければ、３つ以上の異なるカメラの回転ダイアルを外部から操作できる。つまり、カメラの回転ダイアルの高さ、直径などの形状やその周面の係合溝のピッチなどの要因を考慮して防水ハウジング１０の係合部材４６、５７の係合溝（係合凹部）の形状を工夫すれば、多数の異なるカメラの回転ダイアルをカメラの外部から操作可能な汎用性の高い防水ハウジング１０が得られる。
【００３８】
また、実施例では、外部から操作可能なカメラの回転ダイアルとして、パワースイッチ１２１、モードスイッチ１２２を考慮しているとはいえ、回転ダイアルであれば足り、パワースイッチ、モードスイッチに限定されない。
【００３９】
実施例のように、回転ダイアル（たとえば、パワースイッチ１２１、モードスイッチ１２２）が同軸に重複して設けられているカメラに対しては、その２つのダイアル係合部材（パワースイッチ操作部材２１、モードスイッチ操作部材２２）を二重構造体として、その内筒構造体、外筒構造体をそれぞれのダイアル係合部材とすれば、ダイアル係合部材の構成を簡単・小型化できる。
【００４０】
カメラの回転ダイアル（パワースイッチ１２１、モードスイッチ１２２）に係合する係合部材４６、５７は、通常、合成樹脂、軽合金などから成形される。しかし、粘着性の軟質材料、たとえば、ゴムなどから係合部材４６、５７を成形すれば、回転ダイアル周面の係合溝を傷めることなく確実に係合される。そのため、ダイアル係合部材の操作部材（つまみ４２、レバー５３）の回転力がカメラの回転ダイアルに正確に伝達され、回転ダイアルを円滑に回転操作できる。
【００４１】
上述した各実施例は本発明を説明するためのものであり、本発明は実施例に限定されるものではなく、本発明の要旨を逸脱しない範囲内において、変形や応用が可能であることはいうまでもない。
【産業上の利用可能性】
【００４２】
本発明によれば、異なる複数のカメラの回転ダイアルを外部からいずれも操作できるため、異なる複数のカメラに対して共通の防水ハウジングが使用でき、高い汎用性の要求される分野に本発明が広範囲に応用できる。
【図面の簡単な説明】
【００４３】
【図１】本発明の一実施例に係る防水ハウジングの背面斜視図を示す。
【図２】図１の防水ハウジングのハウジング本体の裏蓋部の一部を示し、（Ａ）は部分側面図、（Ｂ）は部分平面図である
【図３】防水ハウジングに収納される異なるカメラのパワースイッチ、モードスイッチの同軸重複配置例を示し、（Ａ−１）（Ａ−２）はそれぞれのカメラの部分側面図、（Ｂ−１）（Ｂ−２）は平面図である。
【図４】パワースイッチ操作部材、モードスイッチ操作部材の組み込まれた二重筒構造体の分解斜視図を示す。
【図５】断面で示す図４の二重筒構造体の分解図である。
【図６】図４の二重筒構造体の正面図を示す。
【図７】（Ａ)はパワースイッチ操作部材の正面図、（Ｂ)はモードスイッチ操作部材の正面図をそれぞれ示す。
【図８】モードダイアル操作部材のつまみを示し、（Ａ）は正面図、（Ｂ）は平面図、（Ｃ）は底面図である。
【図９】モードダイアル操作部材の内筒を示し、（Ａ）は正面図、（Ｂ）は平面図である。
【図１０】モードダイアル操作部材の係合部材を示し、（Ａ）（Ａ’）は異なる断面での断面図、（Ｂ）は平面図、（Ｃ）は底面図であり、（Ｄ）は（Ｃ）の一部Ｄの拡大図である。なお、（Ｃ）の右半部は断面を示す。
【図１１】図１０（Ｃ）の一部Ｄの拡大斜視図である。
【図１２】パワーダイアル操作部材のレバーを示し、（Ａ）は正面図、（Ｂ）は平面図、（Ｃ）は底面図である。
【図１３】パワーダイアル操作部材の外筒を示し、（Ａ）は正面図、（Ｂ）は平面図、（Ｃ）は底面図である。
【図１４】パワーダイアル操作部材の係合部材を示し、（Ａ）は正面図、（Ｂ）は平面図、（Ｃ）は底面図、（Ｄ）は右側面図である。
【図１５】カメラを防水ハウジングに収納した場合での防水ハウジングのパワースイッチ操作部材、モードスイッチ操作部材と、カメラのパワースイッチ、モードスイッチとの関係を示す概略図である。
【図１６】図１５とは異なるカメラを防水ハウジングに収納した場合での防水ハウジングのパワースイッチ操作部材、モードスイッチ操作部材と、カメラのパワースイッチ、モードスイッチとの関係を示す概略図である。
【符号の説明】
【００４４】
１０        防水ハウジング
１２        防水ハウジングのハウジング本体
１２−１    ハウジング本体の本体部
１２−２    ハウジング本体の裏蓋部
２０        防水ハウジングのスイッチ操作部材
２１        パワースイッチ操作部材（外筒構造体、ダイアル係合部材）
２２        モードスイッチ操作部材（内筒構造体、ダイアル係合部材）
１３        裏蓋部の筒状突起１３
４０        二重筒構造体
４２        つまみ（モードスイッチ操作部材の操作部材）
４４        内筒
４６        モードスイッチ操作部材の係合部材
４６（Ｕ、Ｌ）      係合部材の上段および下段の係合歯
５３        レバー（パワースイッチ操作部材の操作部材）
５５        外筒
５７        パワースイッチ操作部材の係合部材
５７（ｃａ、ｃｂ）  周辺およびの中央の係合凹部
１１０（Ａ、Ｂ）    カメラ（デジタルカメラ）
１２１（Ａ、Ｂ）    カメラのパワースイッチ（回転ダイアル）
１２１（Ａａ、Ｂａ）    スイッチ片
１３１（Ａ、Ｂ）    スイッチ片の係合部
１２２（Ａ、Ｂ）    カメラのモードスイッチ（回転ダイアル）
１３２（Ａ、Ｂ）    モードスイッチ周面の係合溝
【図１】
2006243074.tif 000003
【図２】
2006243074.tif 000004
【図３】
2006243074.tif 000005
【図４】
2006243074.tif 000006
【図５】
2006243074.tif 000007
【図６】
2006243074.tif 000008
【図７】
2006243074.tif 000009
【図８】
2006243074.tif 000010
【図９】
2006243074.tif 000011
【図１０】
2006243074.tif 000012
【図１１】
2006243074.tif 000013
【図１２】
2006243074.tif 000014
【図１３】
2006243074.tif 000015
【図１４】
2006243074.tif 000016
【図１５】
2006243074.tif 000017
【図１６】
2006243074.tif 000018